(57)【要約】【課題】  端子カバーを使用することなく、アークガスによる内圧上昇時に消弧カバーが吹き飛ぶのを防止するとともに、消弧カバーの脱着を容易に行うことが可能な電磁接触器を提供する。【解決手段】  消弧カバー１２の対角の２箇所には、上部フレーム１に篏合される篏合フック２ｂをそれぞれ設けるとともに、相対する対角の２箇所には、上部フレーム１に篏合されない非篏合部２ｃを設ける。【選択図】図１
2008047419.tif 000002
【特許請求の範囲】
【請求項１】
フレームに相対するように固定された一対の固定接触子と、これらの固定接触子の間を橋絡する可動接触子とが設けられた開閉部が各相に配置され、前記開閉部を覆う消弧カバーが前記フレームに嵌め込まれる電磁接触器において、
前記消弧カバーの対角の２箇所で前記フレームに篏合されるとともに、相対する対角の２箇所で前記フレームに篏合されないようにして、前記消弧カバーが前記フレームに固定されることを特徴とする電磁接触器。
【請求項２】
前記消弧カバーの対角の２箇所には、前記フレームに篏合される篏合フックが設けられ、
前記篏合フックは、
前記篏合フックの首元に形成された傾斜を持たせた第１篏合面と、
前記篏合フックの先端に形成された直角の第２篏合面とを備えることを特徴とする請求項１記載の電磁接触器。
【請求項３】
前記フレームには、前記篏合フックの根本に近接して配置され、前記消弧カバーを抉じ開ける溝が形成されていることを特徴とする請求項２記載の電磁接触器。
【発明の詳細な説明】
【技術分野】
【０００１】
本発明は電磁接触器に関し、特に、電磁接触器の消弧カバーの構造に適用して好適なものである。
【背景技術】
【０００２】
電磁接触器は、電磁石の吸引力により接点を開閉できるもので、モータなどの負荷の自動開閉用として使用される。ここで、電磁接触器には、フレームに相対するように固定された一対の固定接触子と、これらの固定接触子の間を橋絡する可動接触子とからなる開閉部が各相に設けられ、この開閉部は消弧を促す消弧カバーで覆われている（特許文献１）。
【０００３】
図８は、電磁接触器の上部フレームに消弧カバーが装着された状態を示す斜視図、図９は、電磁接触器の上部フレームに消弧カバーおよび端子カバーが装着された状態を示す斜視図、図１０は、図９の電磁接触器の上部フレームから消弧カバーおよび端子カバーが取り外された状態を示す斜視図、図１１は、従来の電磁接触器の上部フレームの概略構成を示す斜視図、図１２は、従来の消弧カバーを裏側から見た構成を示す斜視図、図１３は、従来の電磁接触器の上部フレームに消弧カバーが装着された状態を部分的に切り欠いて示す斜視図、図１４は図１３の電磁接触器の概略構成を示す裏面図、図１５は、図１３の電磁接触器の篏合部を拡大して示す断面図である。
【０００４】
図８から図１５において、電磁接触器には、絶縁体のフレームとして上部フレーム１と下部フレーム１１とが設けられている。そして、上部フレーム１には各相一対の固定接触子が相対するように固定され、下部フレーム１１に収容された操作電磁石の可動鉄心には、各相の固定接触子の間を橋絡する可動接触子が支持されている。
そして、これらの固定接触子と可動接触子とからなる各相の開閉部は、上部フレーム１の隔壁１１ａにより相間が隔てられ、消弧カバー２にて各相一体に覆われている。また、各相の相対する固定接触子の端部には、電源側及び負荷側の端子がそれぞれ一体形成され、これらの端子は相間に跨る端子カバー３にて覆われている。
【０００５】
ここで、消弧カバー２には、四隅にそれぞれ配置された篏合フック２ａが設けられるとともに、上部フレーム１には、篏合フック２ａにそれぞれ相対するように配置された篏合フック１ａが設けられている。そして、消弧カバー２の篏合フック２ａを上部フレーム１の篏合フック１ａに篏合させることにより、消弧カバー２を上部フレーム１に装着することができる。
【０００６】
そして、消弧カバー２の脱着が容易に行えるようにするために、図１５に示すように、篏合フック２ａの篏合面１２ａには傾斜が設けられるとともに、電磁接触器の開閉動作による摩擦を低減するために、篏合フック２ａが篏合フック１ａに押し当てられるように寸法関係が設定されていた。
ここで、開閉動作による接点の消耗レベルを保守点検時に目視で確認できるよう消弧カバー２は取り外せる必要がある一方、短絡事故などで異常な高電流が流れた時に生じる高圧のアークエネルギーにより消弧カバー２が吹き飛び、接点などの充電部が露出するのを防止しなければならない。
【０００７】
このため、特許文献１に開示された方法では、図１０に示すように、消弧カバー２の嵌め込み方向と直交する方向に端子カバー３を嵌め込み、アークガスによる内圧上昇に対して消弧カバー２を端子カバー３で拘束することにより、消弧カバー２の取付け強度を端子カバー３で補強する一方、端子カバー３を取り外せば、消弧カバー２を容易に取り外すことができるように構成されている。
【特許文献１】特開２００５−３３２５８８号公報
【発明の開示】
【発明が解決しようとする課題】
【０００８】
しかしながら、特許文献１に開示された方法では、端子カバー３による閂作用で消弧カバー２が外れるのを防止しているため、端子カバー３の使用が不可欠となり、端子カバー３なしでは、アークガスによる内圧上昇時に消弧カバー２が吹き飛ぶのを有効に防止することができないという問題があった。
そこで、本発明の目的は、端子カバーを使用することなく、アークガスによる内圧上昇時に消弧カバーが吹き飛ぶのを防止するとともに、消弧カバーの脱着を容易に行うことが可能な電磁接触器を提供することである。
【課題を解決するための手段】
【０００９】
上述した課題を解決するために、請求項１記載の電磁接触器によれば、フレームに相対するように固定された一対の固定接触子と、これらの固定接触子の間を橋絡する可動接触子とが設けられた開閉部が各相に配置され、前記開閉部を覆う消弧カバーが前記フレームに嵌め込まれる電磁接触器において、前記消弧カバーの対角の２箇所で前記フレームに篏合されるとともに、相対する対角の２箇所で前記フレームに篏合されないようにして、前記消弧カバーが前記フレームに固定されることを特徴とする。
【００１０】
また、請求項２記載の電磁接触器によれば、前記消弧カバーの対角の２箇所には、前記フレームに篏合される篏合フックが設けられ、前記篏合フックは、前記篏合フックの首元に形成された傾斜を持たせた第１篏合面と、前記篏合フックの先端に形成された直角の第２篏合面とを備えることを特徴とする。
また、請求項３記載の電磁接触器によれば、前記フレームには、前記篏合フックの根本に近接して配置され、前記消弧カバーを抉じ開ける溝が形成されていることを特徴とする。
【発明の効果】
【００１１】
以上説明したように、本発明によれば、消弧カバーの対角の２箇所でフレームに篏合させるとともに、相対する対角の２箇所でフレームに篏合させないようにして、消弧カバーをフレームに固定することにより、アークガスによる内圧上昇が発生した場合においても、消弧カバーを対角の２箇所でフレームに固定したまま、相対する対角の２箇所で消弧カバーを浮かせてアークガスを外部に逃すことができ、内圧を低下させることができる。
【００１２】
このため、端子カバーを使用することなく、アークガスによる内圧上昇時に消弧カバーが吹き飛ぶのを防止するとともに、消弧カバーの脱着を容易に行うことが可能となり、開閉動作による接点の消耗レベルを保守点検時に目視で確認できるとともに、短絡事故などで異常な高電流が流れた時に生じる高圧のアークエネルギーにより接点などの充電部が露出するのを防止することができる。
【発明を実施するための最良の形態】
【００１３】
以下、本発明の実施形態に係る電磁接触器について図面を参照しながら説明する。
図１は、本発明の一実施形態に係る消弧カバーを裏側から見た構成を示す斜視図、図２は、本発明の一実施形態に係る電磁接触器の上部フレームに消弧カバーが装着された状態を部分的に切り欠いて示す斜視図、図３は、図２の電磁接触器の概略構成を示す裏面図、図４は、図２の電磁接触器の篏合部を拡大して示す断面図、図５は、本発明の一実施形態に係る電磁接触器のアークガスの排出状態を示す斜視図、図６は、本発明の一実施形態に係る電磁接触器の消弧カバーの取り外し方法を示す斜視図である。なお、図８および図９の電磁接触器の同一部分については同一符号を付し、説明を省略する。
【００１４】
図１から図６において、消弧カバー１２の対角の２箇所には、上部フレーム１に篏合される篏合フック２ｂがそれぞれ設けられるとともに、相対する対角の２箇所には、上部フレーム１に篏合されない非篏合部２ｃが設けられている。ここで、篏合フック２ｂは、図１に示すように、消弧カバー１２に一体化され、ガス排出バリアまで延伸させることで、剛性を高め堅牢性を向上させることができる。
【００１５】
また、篏合フック２ｂには、図４に示すように、篏合フック２ｂの首元に形成された篏合面１２ｂと、篏合フック２ｂの先端に形成された篏合面１２ｃが設けられている。そして、電磁接触器の開閉動作による摩擦を低減しつつ、篏合フック２ｂが篏合フック１ａに押し当てられるようにするために、篏合面１２ｂには傾斜が形成されている。また、アークガスによる内圧上昇時に消弧カバー１２の抜け止めとしての効果を確保するために、篏合面１２ｃは、篏合フック１ａの篏合面に並行に面するように直角に構成されている。また、上部フレーム１には、篏合フック２ｂの根本に近接して配置された取り外し用角穴２ｄが形成されている。
【００１６】
そして、消弧カバー１２の篏合フック２ｂを上部フレーム１の篏合フック１ａに篏合することにより、消弧カバー１２の対角の２箇所で消弧カバー１２を上部フレーム１に篏合した上で、消弧カバー１２の相対する対角の２箇所が上部フレーム１に篏合されないようにして、消弧カバー１２を上部フレーム１に装着することができる。
これにより、アークガスによる内圧上昇が発生した場合においても、図５に示すように、消弧カバー１２を対角の２箇所で上部フレーム１に固定したまま、非篏合部２ｃの相対する対角の２箇所（非篏合部２ｃ）で消弧カバー１２を浮かせてアークガスを外部に逃すことができ、内圧を低下させることができる。
【００１７】
このため、端子カバー３を使用することなく、アークガスによる内圧上昇時に消弧カバー１２が吹き飛ぶのを防止するとともに、消弧カバー１２の脱着を容易に行うことが可能となり、開閉動作による接点の消耗レベルを保守点検時に目視で確認できるとともに、短絡事故などで異常な高電流が流れた時に生じる高圧のアークエネルギーにより接点などの充電部が露出するのを防止することができる。
【００１８】
また、消弧カバー１２を上部フレーム１から取り外す場合、図６に示すように、上部フレーム１の側面からマイナスドライバ５を取り外し用角穴２ｄに挿入しながら、取り外し用角穴２ｄを支点としてマイナスドライバ５を傾けることにより、消弧カバー１２を部分的に内側に変形させ、篏合フック２ｂの篏合面１２ｃをずらすことができる。
これにより、消弧カバー１２の対角の２箇所で上部フレーム１に強固に固定され、消弧カバー１２を素手では取り外すことができない場合においても、消弧カバー１２を上部フレーム１から容易に取り外すことができる。
【図面の簡単な説明】
【００１９】
【図１】本発明の一実施形態に係る消弧カバーを裏側から見た構成を示す斜視図である。
【図２】本発明の一実施形態に係る電磁接触器の上部フレームに消弧カバーが装着された状態を部分的に切り欠いて示す斜視図である。
【図３】図２の電磁接触器の概略構成を示す裏面図である。
【図４】図２の電磁接触器の篏合部を拡大して示す断面図である。
【図５】本発明の一実施形態に係る電磁接触器のアークガスの排出状態を示す斜視図である。
【図６】本発明の一実施形態に係る電磁接触器の消弧カバーの取り外し方法を示す斜視図である。
【図７】図６の電磁接触器における消弧カバーの取り外し時の篏合部を拡大して示す断面図である。
【図８】電磁接触器の上部フレームに消弧カバーが装着された状態を示す斜視図である。
【図９】電磁接触器の上部フレームに消弧カバーおよび端子カバーが装着された状態を示す斜視図である。
【図１０】図９の電磁接触器の上部フレームから消弧カバーおよび端子カバーが取り外された状態を示す斜視図である。
【図１１】従来の電磁接触器の上部フレームの概略構成を示す斜視図である。
【図１２】従来の消弧カバーを裏側から見た構成を示す斜視図である。
【図１３】従来の電磁接触器の上部フレームに消弧カバーが装着された状態を部分的に切り欠いて示す斜視図である。
【図１４】図１３の電磁接触器の概略構成を示す裏面図である。
【図１５】図１３の電磁接触器の篏合部を拡大して示す断面図である。
【符号の説明】
【００２０】
１  上部フレーム
１ａ  篏合フック
２、２ｅ、１２  消弧カバー
２ｂ  篏合フック
１２ｂ、１２ｃ  篏合面
２ｃ  非篏合部
２ｄ  取り外し用角穴
３  端子カバー
４  アークガス
５  マイナスドライバ
１１  下部フレーム
１１ａ  隔壁
【図１】
2008047419.tif 000003
【図２】
2008047419.tif 000004
【図３】
2008047419.tif 000005
【図４】
2008047419.tif 000006
【図５】
2008047419.tif 000007
【図６】
2008047419.tif 000008
【図７】
2008047419.tif 000009
【図８】
2008047419.tif 000010
【図９】
2008047419.tif 000011
【図１０】
2008047419.tif 000012
【図１１】
2008047419.tif 000013
【図１２】
2008047419.tif 000014
【図１３】
2008047419.tif 000015
【図１４】
2008047419.tif 000016
【図１５】
2008047419.tif 000017